(57)【要約】【課題】商品の販売に係る金額と画像形成装置の利用料金とをまとめて決済可能にする画像形成装置及び決済システムを提供すること。【解決手段】実施形態の画像形成装置は、第１の給紙トレイ、画像形成部及び書き込み部を備える。第１の給紙トレイは無線タグが付されたシート状の第１の媒体を収容する。画像形成部は、前記第１の媒体に、画像データに基づく画像を形成する。書き込み部は、前記形成の対価としての金額を特定可能な情報を前記無線タグに書き込む。【選択図】図１
2020154238.tif 000002
【特許請求の範囲】
【請求項１】
無線タグが付されたシート状の第１の媒体を収容する第１の給紙トレイと、
前記第１の媒体に、画像データに基づく画像を形成する画像形成部と、
前記形成の対価としての金額を特定可能な情報を前記無線タグに書き込む書き込み部と、を備える画像形成装置。
【請求項２】
無線タグが付されていないシート状の第２の媒体を収容する第２の給紙トレイをさらに備え、
前記画像形成部は、１回の利用につきＮ枚の媒体に画像を形成する場合、１枚の前記第１の媒体と、（Ｎ−１）枚の前記第２の媒体に画像を形成し、
前記書き込み部は、１回の利用の前記形成の対価としての金額を特定可能な情報を前記無線タグに書き込む、請求項１に記載の画像形成装置。
【請求項３】
無線タグが付されたシート状の媒体に画像を形成する画像形成部と、
画像が形成された前記媒体が置かれる排紙トレイと、
前記排紙トレイに置かれている前記媒体に付された前記無線タグに対して情報を書き込む書き込み部と、を備える画像形成装置。
【請求項４】
画像形成装置及び決済装置を含み、
前記画像形成装置は、
無線タグが付されたシート状の第１の媒体を収容する第１の給紙トレイと、
前記第１の媒体に画像を形成する画像形成部と、
前記形成の対価としての金額を特定可能な情報を前記無線タグに書き込む書き込み部と、を備え
前記決済装置は、
前記無線タグから、前記金額を特定可能な情報を読み取る読取部と、
前記金額の決済を行う決済部と、を備える、決済システム。
【請求項５】
前記金額を支払わずに前記画像形成装置及び前記決済装置が設置された特定の範囲内から出ようとした、又は出た人がいる場合に、このことを報知する報知部を備えたセキュリティ装置をさらに備える、請求項４に記載の決済システム。
【発明の詳細な説明】
【技術分野】
【０００１】
本発明の実施形態は、画像形成装置及び決済システムに関する。
【背景技術】
【０００２】
コンビニエンスストア又はスーパーマーケットなどの商店は、ＭＦＰ（multifunction peripheral）などの画像形成装置が設置されている場合がある。このような画像形成装置は、利用料金を商店内の他の商品とは別に支払うようになっている。当該他の商品は、レジスターで支払いを行うようになっている。対して、画像形成装置には、利用料金を収受するためにコインベンダーが接続されている。
【先行技術文献】
【特許文献】
【０００３】
【特許文献１】特開２０１４−１６０９３８号公報
【発明の概要】
【発明が解決しようとする課題】
【０００４】
本発明の実施形態が解決しようとする課題は、商品の販売に係る金額と画像形成装置の利用料金とをまとめて決済可能にする画像形成装置及び決済システムを提供することである。
【課題を解決するための手段】
【０００５】
実施形態の画像形成装置は、第１の給紙トレイ、画像形成部及び書き込み部を備える。第１の給紙トレイは無線タグが付されたシート状の第１の媒体を収容する。画像形成部は、前記第１の媒体に、画像データに基づく画像を形成する。書き込み部は、前記形成の対価としての金額を特定可能な情報を前記無線タグに書き込む。
【図面の簡単な説明】
【０００６】
【図１】実施形態に係る店内システム及び当該店内システムに含まれる構成要素についての要部回路構成の一例を示すブロック図。
【図２】実施形態に係る商店に設置される棚について説明するための図。
【図３】図１中の画像形成装置の外観の一例を示す図。
【図４】実施形態に係るタグ内蔵媒体について説明するための図。
【図５】図１中の画像形成装置のプロセッサーによる処理の一例を示す図。
【図６】図１中の画像形成装置のプロセッサーによる処理の一例を示す図。
【図７】図１中のＰＯＳ端末のプロセッサーによる処理の一例を示す図。
【図８】図１中のセキュリティ装置のプロセッサーによる処理の一例を示す図。
【図９】図１中のＰＯＳ端末のタッチパネルに表示される一覧画面の一例を示す図。
【図１０】図１中のＰＯＳ端末のタッチパネルに表示される詳細画面の一例を示す図。
【発明を実施するための形態】
【０００７】
以下、実施形態に係る店内システムについて図面を用いて説明する。なお、以下の実施形態の説明に用いる各図面は、各部の縮尺を適宜変更している場合がある。また、以下の実施形態の説明に用いる各図面は、説明のため、構成を省略して示している場合がある。また、各図面及び以下の説明において、同一の符号は同様の要素を示す。
図１は、実施形態に係る店内システム１及び店内システム１に含まれる構成要素についての要部回路構成の一例を示すブロック図である。店内システム１は、例えば、コンビニエンスストア又はスーパーマーケットなどの商店に設置される。店内システム１は、一例として、画像形成装置１００、ＰＯＳ端末２００及びセキュリティ装置３００を含む。また、図２に示すように、店内システム１が設置される商店には、棚４００が設置される。図２は、商店に設置される棚４００について説明するための図である。
【０００８】
棚４００は、例えば、商品４１０を並べることができる一般的な棚、冷蔵庫又は冷凍庫などである。棚４００には様々な商品４１０が並べられる。商品４１０は、無線タグ４１１が付されている。
【０００９】
無線タグ４１１は、例えば、ＲＦＩＤ（radio frequency identifier）を用いたＲＦ（radio frequency）タグである。無線タグ４１１は、典型的には、受信した電波を電力源として動作するパッシブ型である。しかしながら、無線タグ４１１は、セミアクティブ型又はアクティブ型であっても良い。商品４１０に付された無線タグ４１１は、商品情報などを記憶する。商品情報は、無線タグ４１１が付された商品４１０に関する情報である。商品情報は、商品４１０に関する情報として、商品ＩＤ（identifier）、商品名及び単価などを含む。商品ＩＤは、商品４１０ごとにユニークに付与された識別符号である。なお、商品ＩＤは、典型的には、商品の種類ごとではなく、個別の商品ごとに付与されるものである。無線タグ４１１の形状は、チップ型、シール型又は埋め込み型など、商品４１０の種類に応じて様々なタイプのものを用いることができる。
【００１０】
図１の説明に戻る。画像形成装置１００、ＰＯＳ端末２００及びセキュリティ装置３００は、ネットワークＮＷに接続する。ネットワークＮＷは、例えば、ＬＡＮ（local area network）及びインターネットを含む通信網である。
【００１１】
画像形成装置１００は、例えば、ＭＦＰ、コピー機、プリンター又はファクシミリなどである。ただし、以下、画像形成装置１００はＭＦＰであるとして説明する。画像形成装置１００は、例えば、印刷機能、スキャン機能、コピー機能及びファクシミリ機能などを備える。印刷機能は、画像形成媒体などに対してトナーなどの記録材を用いて画像を形成する機能である。画像形成媒体は、例えば、シート状の紙などである。スキャン機能は、画像が形成された原稿などから画像を読み取る機能である。コピー機能は、スキャン機能を用いて原稿などから読み取った画像を、印刷機能を用いて画像形成媒体に印刷する機能である。また、画像形成装置１００を利用した場合、利用料金が発生する。当該利用料金は、ＰＯＳ端末２００を用いて支払う。画像形成装置１００は、一例として、プロセッサー１０１、ＲＯＭ（read-only memory）１０２、ＲＡＭ（random-access memory）１０３、補助記憶デバイス１０４、通信インターフェース１０５、操作パネル１０６、画像形成部１０７、スキャナー１０８及びリーダーライター１０９を含む。そして、バス１１０などが、これら各部を接続する。
【００１２】
プロセッサー１０１は、画像形成装置１００の動作に必要な演算及び制御などの処理を行うコンピューターの中枢部分に相当する。プロセッサー１０１は、ＲＯＭ１０２又は補助記憶デバイス１０４などに記憶されたファームウェア、システムソフトウェア及びアプリケーションソフトウェアなどのプログラムに基づいて、画像形成装置１００の各種の機能を実現するべく各部を制御する。なお、当該プログラムの一部又は全部は、プロセッサー１０１の回路内に組み込まれていても良い。プロセッサー１０１は、例えば、ＣＰＵ（central processing unit）、ＭＰＵ（micro processing unit）、ＳｏＣ（system on a chip）、ＤＳＰ（digital signal processor）、ＧＰＵ（graphics processing unit）、ＡＳＩＣ（application specific integrated circuit）、ＰＬＤ（programmable logic device）又はＦＰＧＡ（field-programmable gate array）などである。あるいは、プロセッサー１０１は、これらのうちの複数を組み合わせたものである。
【００１３】
ＲＯＭ１０２は、プロセッサー１０１を中枢とするコンピューターの主記憶装置に相当する。ＲＯＭ１０２は、専らデータの読み出しに用いられる不揮発性メモリである。ＲＯＭ１０２は、上記のプログラムのうち、例えばファームウェアなどを記憶する。また、ＲＯＭ１０２は、プロセッサー１０１が各種の処理を行う上で使用するデータ又は各種の設定値などを記憶する。
【００１４】
ＲＡＭ１０３は、プロセッサー１０１を中枢とするコンピューターの主記憶装置に相当する。ＲＡＭ１０３は、データの読み書きに用いられるメモリである。ＲＡＭ１０３は、プロセッサー１０１が各種の処理を行う上で一時的に使用するデータを記憶しておく、いわゆるワークエリアなどとして利用される。ＲＡＭ１０３は、典型的には揮発性メモリである。
【００１５】
補助記憶デバイス１０４は、プロセッサー１０１を中枢とするコンピューターの補助記憶装置に相当する。補助記憶デバイス１０４は、例えばＥＥＰＲＯＭ（electric erasable programmable read-only memory）、ＨＤＤ（hard disk drive）、ＳＳＤ（solid state drive）又はｅＭＭＣ（embedded MultiMediaCard）などである。補助記憶デバイス１０４は、上記のプログラムのうち、例えば、システムソフトウェア及びアプリケーションソフトウェアなどを記憶する。また、補助記憶デバイス１０４は、プロセッサー１０１が各種の処理を行う上で使用するデータ、プロセッサー１０１での処理によって生成されたデータ又は各種の設定値などを保存する。なお、画像形成装置１００は、補助記憶デバイス１０４として、メモリカード又はＵＳＢ（universal serial bus）メモリなどの記憶媒体を挿入可能なインターフェースを備えていてもよい。当該インターフェースは、当該記憶媒体に対して情報の読み書きを行う。
【００１６】
ＲＯＭ１０２又は補助記憶デバイス１０４に記憶されるプログラムは、後述する処理を実行するためのプログラムを含む。一例として、画像形成装置１００は、当該プログラムがＲＯＭ１０２又は補助記憶デバイス１０４に記憶された状態で画像形成装置１００の管理者などへと譲渡される。しかしながら、画像形成装置１００は、当該プログラムがＲＯＭ１０２又は補助記憶デバイス１０４に記憶されない状態で当該管理者などに譲渡されても良い。また、画像形成装置１００は、当該プログラムとは別のプログラムがＲＯＭ１０２又は補助記憶デバイス１０４に記憶された状態で当該管理者などに譲渡されても良い。そして、後述する処理を実行するためのプログラムが別途に当該管理者などへと譲渡され、当該管理者又はサービスマンなどによる操作の下にＲＯＭ１０２又は補助記憶デバイス１０４へと書き込まれても良い。このときのプログラムの譲渡は、例えば、磁気ディスク、光磁気ディスク、光ディスク又は半導体メモリなどのようなリムーバブルな記憶媒体に記録して、あるいはネットワークＮＷなどを介したダウンロードにより実現できる。
【００１７】
通信インターフェース１０５は、画像形成装置１００がネットワークＮＷなどを介して通信するためのインターフェースである。
【００１８】
操作パネル１０６は、画像形成装置１００と画像形成装置１００の操作者との間で入出力を行うマンマシンインターフェースなどを備える。操作パネル１０６は、例えば、当該操作者が操作するためのボタン及びタッチパネル１０６１などを備える。なお、画像形成装置１００の操作者は、例えば、画像形成装置１００の利用者である。
【００１９】
タッチパネル１０６１は、例えば、液晶ディスプレイ又は有機ＥＬディスプレイなどのディスプレイとタッチ入力によるポインティングデバイスとが積層されたものである。タッチパネル１０６１が備えるディスプレイは、画像形成装置１００の操作者に各種情報を通知するための画面を表示する表示デバイスとして機能する。また、タッチパネル１０６１は、当該操作者によるタッチ操作を受け付ける入力デバイスとして機能する。
【００２０】
画像形成部１０７は、トナー又はインクなどを用いて画像を形成することで、画像形成媒体に対して画像を印刷する。画像形成部１０７は、例えば、電子写真方式（レーザー）、インクジェット方式又はその他の方式のプリンターを備え、当該プリンターによって印刷を行う。
【００２１】
スキャナー１０８は、原稿から画像を読み取る。スキャナー１０８は、例えば、ＣＣＤ（charge-coupled device）イメージセンサーなどの撮像素子を備える光学縮小方式である。あるいは、スキャナー１０８は、ＣＭＯＳ（complementary metal-oxide-semiconductor）イメージセンサーなどの撮像素子を備える密着センサー（ＣＩＳ（contact image sensor））方式である。あるいは、スキャナー１０８は、その他の公知の方式であっても良い。
【００２２】
リーダーライター１０９は、アンテナ１０９１を備える。リーダーライター１０９は、アンテナ１０９１を用いて無線タグ４１１と通信する。アンテナ１０９１は、無線タグ４１１に電波を送信する。アンテナ１０９１は、無線タグ４１１から送信される電波を受信する。
リーダーライター１０９は、無線タグ４１１から送信され、アンテナ１０９１によって受信された電波を復調する。これにより、リーダーライター１０９は、無線タグ４１１に記録されている情報を読み取る。また、リーダーライター１０９は、アンテナ１０９１から無線タグ４１１に送信される電波を変調することで、無線タグ４１１に情報を送信する。これにより、リーダーライター１０９は、無線タグ４１１に情報を書き込むことができる。以上より、リーダーライター１０９は、無線タグ４１１に記録されている情報を読み取るリーダーとしての機能と、無線タグ４１１に情報を書き込むライターとしての機能を備える。
【００２３】
バス１１０は、コントロールバス、アドレスバス及びデータバスなどを含み、画像形成装置１００の各部で授受される信号を伝送する。
【００２４】
ＰＯＳ端末２００は、決済対象となる商品などの登録、及び登録された商品などについての決済などのレジ業務などのために、商店内に設置される。ＰＯＳ端末２００の決済対象は、商品４１０の購入代金及び画像形成装置１００の利用料金などを含む。ＰＯＳ端末２００は、典型的にはＰＯＳシステムに含まれる端末である。しかしながら、ＰＯＳ端末２００は、ＰＯＳシステムに含まれない電子キャッシュレジスターなどであっても良い。ＰＯＳ端末２００は、例えば、店舗の店員などによって操作される。あるいは、ＰＯＳ端末２００は、店舗の買物客などによって操作されるセルフ方式の端末であっても良い。また、ＰＯＳ端末２００は、商品の登録を行う登録側装置と、登録された商品についての決済を行う決済側装置とを含んで成るセミセルフ方式の端末であっても良い。セミセルフ方式のＰＯＳ端末２００は、典型的には、登録側装置を店員が操作し、決済側装置を買物客が操作する。ＰＯＳ端末２００は、一例として、プロセッサー２０１、ＲＯＭ２０２、ＲＡＭ２０３、補助記憶デバイス２０４、通信インターフェース２０５、タッチパネル２０６、リーダーライター２０７及びカードリーダー２０８を含む。そして、バス２０９などが、これら各部を接続する。なお、ＰＯＳ端末２００は、決済装置の一例である。
【００２５】
プロセッサー２０１は、ＰＯＳ端末２００の動作に必要な演算及び制御などの処理を行うコンピューターの中枢部分に相当する。プロセッサー２０１は、ＲＯＭ２０２又は補助記憶デバイス２０４などに記憶されたファームウェア、システムソフトウェア及びアプリケーションソフトウェアなどのプログラムに基づいて、ＰＯＳ端末２００の各種の機能を実現するべく各部を制御する。なお、当該プログラムの一部又は全部は、プロセッサー２０１の回路内に組み込まれていても良い。プロセッサー２０１は、例えば、ＣＰＵ、ＭＰＵ、ＳｏＣ、ＤＳＰ、ＧＰＵ、ＡＳＩＣ、ＰＬＤ又はＦＰＧＡなどである。あるいは、プロセッサー２０１は、これらのうちの複数を組み合わせたものである。
【００２６】
ＲＯＭ２０２は、プロセッサー２０１を中枢とするコンピューターの主記憶装置に相当する。ＲＯＭ２０２は、専らデータの読み出しに用いられる不揮発性メモリである。ＲＯＭ２０２は、上記のプログラムのうち、例えばファームウェアなどを記憶する。また、ＲＯＭ２０２は、プロセッサー２０１が各種の処理を行う上で使用するデータ又は各種の設定値などを記憶する。
【００２７】
ＲＡＭ２０３は、プロセッサー２０１を中枢とするコンピューターの主記憶装置に相当する。ＲＡＭ２０３は、データの読み書きに用いられるメモリである。ＲＡＭ２０３は、プロセッサー２０１が各種の処理を行う上で一時的に使用するデータを記憶しておく、いわゆるワークエリアなどとして利用される。ＲＡＭ２０３は、典型的には揮発性メモリである。
【００２８】
補助記憶デバイス２０４は、プロセッサー２０１を中枢とするコンピューターの補助記憶装置に相当する。補助記憶デバイス２０４は、例えばＥＥＰＲＯＭ、ＨＤＤ、ＳＳＤ又はｅＭＭＣなどである。補助記憶デバイス２０４は、上記のプログラムのうち、例えば、システムソフトウェア及びアプリケーションソフトウェアなどを記憶する。また、補助記憶デバイス２０４は、プロセッサー２０１が各種の処理を行う上で使用するデータ、プロセッサー２０１での処理によって生成されたデータ又は各種の設定値などを保存する。また、補助記憶デバイス２０４は、登録された商品のリストである商品リストも記憶する。あるいは、ＲＡＭ２０３が、上記商品リストを記憶しても良い。さらに、補助記憶デバイス２０４は、店舗で販売されている商品についての商品コード、商品名及び金額などの各種情報を含む商品データベースも記憶する。
【００２９】
ＲＯＭ２０２又は補助記憶デバイス２０４に記憶されるプログラムは、後述する処理を実行するためのプログラムを含む。一例として、ＰＯＳ端末２００は、当該プログラムがＲＯＭ２０２又は補助記憶デバイス２０４に記憶された状態でＰＯＳ端末２００の管理者などへと譲渡される。しかしながら、ＰＯＳ端末２００は、当該プログラムがＲＯＭ２０２又は補助記憶デバイス２０４に記憶されない状態で当該管理者などに譲渡されても良い。また、ＰＯＳ端末２００は、当該プログラムとは別のプログラムがＲＯＭ２０２又は補助記憶デバイス２０４に記憶された状態で当該管理者などに譲渡されても良い。そして、後述する処理を実行するためのプログラムが別途に当該管理者などへと譲渡され、当該管理者又はサービスマンなどによる操作の下にＲＯＭ２０２又は補助記憶デバイス２０４へと書き込まれても良い。このときのプログラムの譲渡は、例えば、磁気ディスク、光磁気ディスク、光ディスク又は半導体メモリなどのようなリムーバブルな記憶媒体に記録して、あるいはネットワークＮＷなどを介したダウンロードにより実現できる。
【００３０】
通信インターフェース２０５は、ＰＯＳ端末２００がネットワークＮＷなどを介して通信するためのインターフェースである。
【００３１】
タッチパネル２０６は、例えば、液晶ディスプレイ又は有機ＥＬディスプレイなどのディスプレイとタッチ入力によるポインティングデバイスとが積層されたものである。タッチパネル２０６が備えるディスプレイは、ＰＯＳ端末２００の操作者に各種情報を通知するための画面を表示する表示デバイスとして機能する。また、タッチパネル２０６は、当該操作者によるタッチ操作を受け付ける入力デバイスとして機能する。
【００３２】
リーダーライター２０７は、アンテナ２０７１を備える。リーダーライター２０７は、アンテナ２０７１を用いて無線タグ４１１と通信する。リーダーライター２０７は、アンテナ２０７１を備える。アンテナ２０７１は、無線タグ４１１に電波を送信する。アンテナ２０７１は、無線タグ４１１から送信される電波を受信する。
リーダーライター２０７は、無線タグ４１１から送信され、アンテナ２０７１によって受信された電波を復調する。これにより、リーダーライター２０７は、無線タグ４１１に記録されている情報を読み取る。また、リーダーライター２０７は、アンテナ２０７１から無線タグ４１１に送信される電波を変調することで、無線タグ４１１に情報を送信する。これにより、リーダーライター２０７は、無線タグ４１１に情報を書き込むことができる。以上より、リーダーライター２０７は、無線タグ４１１に記録されている情報を読み取るリーダーとしての機能と、無線タグ４１１に情報を書き込むライターとしての機能を備える。
【００３３】
また、リーダーライター２０７は、商品４１０が入った買い物かごなどを載せる台の下などに設置される。リーダーライター２０７は、当該台に乗せられた商品４１０に付された無線タグ４１１などに対して情報の読み書きを行う。
【００３４】
カードリーダー２０８は、磁気カード（磁気ストライプカード）、接触型ＩＣカード又は非接触型ＩＣカードなどと通信を行う。また、リーダーライター２０７は、電子機器（例えば携帯電話、スマートフォン、タブレットＰＣ（personal computer）等）に搭載された非接触型ＩＣチップと通信を行う。
【００３５】
バス２０９は、コントロールバス、アドレスバス及びデータバスなどを含み、ＰＯＳ端末２００の各部で授受される信号を伝送する。
【００３６】
セキュリティ装置３００は、画像形成装置１００の利用料金を支払わずに店内から出ようとする人に警告を行うための装置である。セキュリティ装置３００は、一例として、プロセッサー３０１、ＲＯＭ３０２、ＲＡＭ３０３、補助記憶デバイス３０４、通信インターフェース３０５、センサー３０６及び警告装置３０７を含む。そして、バス３０８などが、これら各部を接続する。
【００３７】
プロセッサー３０１は、セキュリティ装置３００の動作に必要な演算及び制御などの処理を行うコンピューターの中枢部分に相当する。プロセッサー３０１は、ＲＯＭ３０２又は補助記憶デバイス３０４などに記憶されたファームウェア、システムソフトウェア及びアプリケーションソフトウェアなどのプログラムに基づいて、セキュリティ装置３００の各種の機能を実現するべく各部を制御する。なお、当該プログラムの一部又は全部は、プロセッサー３０１の回路内に組み込まれていても良い。プロセッサー３０１は、例えば、ＣＰＵ、ＭＰＵ、ＳｏＣ、ＤＳＰ、ＧＰＵ、ＡＳＩＣ、ＰＬＤ又はＦＰＧＡなどである。あるいは、プロセッサー３０１は、これらのうちの複数を組み合わせたものである。
【００３８】
ＲＯＭ３０２は、プロセッサー３０１を中枢とするコンピューターの主記憶装置に相当する。ＲＯＭ３０２は、専らデータの読み出しに用いられる不揮発性メモリである。ＲＯＭ３０２は、上記のプログラムのうち、例えばファームウェアなどを記憶する。また、ＲＯＭ３０２は、プロセッサー３０１が各種の処理を行う上で使用するデータ又は各種の設定値などを記憶する。
【００３９】
ＲＡＭ３０３は、プロセッサー３０１を中枢とするコンピューターの主記憶装置に相当する。ＲＡＭ３０３は、データの読み書きに用いられるメモリである。ＲＡＭ３０３は、プロセッサー３０１が各種の処理を行う上で一時的に使用するデータを記憶しておく、いわゆるワークエリアなどとして利用される。ＲＡＭ３０３は、典型的には揮発性メモリである。
【００４０】
補助記憶デバイス３０４は、プロセッサー３０１を中枢とするコンピューターの補助記憶装置に相当する。補助記憶デバイス３０４は、例えばＥＥＰＲＯＭ、ＨＤＤ、ＳＳＤ又はｅＭＭＣなどである。補助記憶デバイス３０４は、上記のプログラムのうち、例えば、システムソフトウェア及びアプリケーションソフトウェアなどを記憶する。また、補助記憶デバイス３０４は、プロセッサー３０１が各種の処理を行う上で使用するデータ、プロセッサー３０１での処理によって生成されたデータ又は各種の設定値などを保存する。また、補助記憶デバイス３０４は、セキュリティテーブルを記憶する。セキュリティテーブルは、画像形成装置１００の利用者の追跡などに用いられるテーブルである。
【００４１】
ＲＯＭ３０２又は補助記憶デバイス３０４に記憶されるプログラムは、後述する処理を実行するためのプログラムを含む。一例として、セキュリティ装置３００は、当該プログラムがＲＯＭ３０２又は補助記憶デバイス３０４に記憶された状態でセキュリティ装置３００の管理者などへと譲渡される。しかしながら、セキュリティ装置３００は、当該プログラムがＲＯＭ３０２又は補助記憶デバイス３０４に記憶されない状態で当該管理者などに譲渡されても良い。また、セキュリティ装置３００は、当該プログラムとは別のプログラムがＲＯＭ３０２又は補助記憶デバイス３０４に記憶された状態で当該管理者などに譲渡されても良い。そして、後述する処理を実行するためのプログラムが別途に当該管理者などへと譲渡され、当該管理者又はサービスマンなどによる操作の下にＲＯＭ３０２又は補助記憶デバイス３０４へと書き込まれても良い。このときのプログラムの譲渡は、例えば、磁気ディスク、光磁気ディスク、光ディスク又は半導体メモリなどのようなリムーバブルな記憶媒体に記録して、あるいはネットワークＮＷなどを介したダウンロードにより実現できる。
【００４２】
通信インターフェース３０５は、セキュリティ装置３００がネットワークＮＷなどを介して通信するためのインターフェースである。
【００４３】
センサー３０６は、店内にいる人などを検知する。センサー３０６は、例えば、店内を撮像するビデオカメラである。
【００４４】
警告装置３０７は、画像形成装置１００の利用料金を支払わずに店内から出ようとする人がいる場合にその人及び店員などに報知を行う装置である。警告装置３０７は、例えば、パトランプ及びスピーカーなどを含む。パトランプは、発光により報知する。スピーカーは、音により報知する。警告装置３０７は、画像形成装置１００及びＰＯＳ端末２００が設置された店内から出ようとした、又は出た人がいる場合にこのことを報知する報知部の一例である。また、ここで、店内とは、特定の範囲の一例である。
【００４５】
バス３０８は、コントロールバス、アドレスバス及びデータバスなどを含み、セキュリティ装置３００の各部で授受される信号を伝送する。
【００４６】
画像形成装置１００について、図３に基づいてさらに説明する。図３は、画像形成装置１００の外観の一例を示す図である。画像形成装置１００は、一例として、前述した構成要素以外に、複数の給紙トレイ１２１及び排紙トレイ１２２を備える。なお、図３は、給紙トレイ１２１の前面の一部を破断して内部が見えるように示している。
【００４７】
給紙トレイ１２１は、タグ内蔵媒体５００又は媒体５０１を収容する。複数の給紙トレイ１２１のうちの少なくともいずれか１つは、タグ内蔵媒体５００を収容する。複数の給紙トレイ１２１のうちの少なくともいずれか１つは、媒体５０１を収容する。タグ内蔵媒体５００及び媒体５０１は、画像形成媒体である。
【００４８】
タグ内蔵媒体５００は、図４に示すように、無線タグ４１１が埋め込まれている。図４は、タグ内蔵媒体５００について説明するための図である。
タグ内蔵媒体５００に埋め込まれた無線タグ４１１は、リーダーライター１０９によって、画像形成装置１００によって行われた印刷の内容又は当該印刷の対価としての金額などが書き込まれる。詳細は、後述する。
【００４９】
以上より、タグ内蔵媒体５００は、無線タグ４１１が付されたシート状の第１の媒体の一例である。また、タグ内蔵媒体５００を収容する給紙トレイ１２１は、第１の給紙トレイの一例である。
また、媒体５０１は、無線タグが付されていないシート状の第２の媒体の一例である。そして、媒体５０１を収容する給紙トレイ１２１は、第２の給紙トレイの一例である。
【００５０】
排紙トレイ１２２は、画像形成部１０７による印刷が終わったタグ内蔵媒体５００及び媒体５０１が排出される台などである。排出されたタグ内蔵媒体５００及び媒体５０１は、排紙トレイ１２２に置かれた状態となる。排紙トレイ１２２の、タグ内蔵媒体５００及び媒体５０１が置かれる位置の下には、リーダーライター１０９が設置される。リーダーライター１０９が設置される位置は、排紙トレイ１２２の下に限らず、排紙トレイ１２２に置かれるタグ内蔵媒体５００に埋め込まれた無線タグ４１１との通信が可能な位置であればよい。しかしながら、通信感度などの観点から、リーダーライター１０９は、排紙トレイの下にあることが好ましい。これは、リーダーライター１０９が排紙トレイ１２２の下にあることで、リーダーライター１０９と無線タグ４１１との距離を短くできるためである。また、リーダーライター１０９が排紙トレイ１２２の下にあることで、タグ内蔵媒体５００の上に媒体５０１が多数排出された場合でも、当該媒体５０１がリーダーライター１０９と無線タグ４１１との通信を遮蔽しないためである。
【００５１】
以下、実施形態に係る店内システム１の動作を図５〜図８などに基づいて説明する。なお、以下の動作説明における処理の内容は一例であって、同様な結果を得ることが可能な様々な処理を適宜に利用できる。図５及び図６は、画像形成装置１００のプロセッサー１０１による処理の一例を示すフローチャートである。プロセッサー１０１は、例えば、ＲＯＭ１０２又は補助記憶デバイス１０４などに記憶されたプログラムに基づいてこの処理を実行する。プロセッサー１０１は、例えば、画像形成装置１００の起動にともない、図５及び図６に示す処理を開始する。図７は、ＰＯＳ端末２００のプロセッサー２０１による処理の一例を示すフローチャートである。プロセッサー２０１は、例えば、ＲＯＭ２０２又は補助記憶デバイス２０４などに記憶されたプログラムに基づいてこの処理を実行する。プロセッサー１０１は、例えば、ＰＯＳ端末２００の起動にともない、図７に示す処理を開始する。図８は、セキュリティ装置３００のプロセッサー３０１による処理の一例を示すフローチャートである。プロセッサー３０１は、例えば、ＲＯＭ３０２又は補助記憶デバイス３０４などに記憶されたプログラムに基づいてこの処理を実行する。プロセッサー３０１は、例えば、セキュリティ装置３００の起動にともない、図８に示す処理を開始する。なお、プロセッサー１０１、プロセッサー２０１又はプロセッサー３０１がＡＣＴｎ（ｎは、自然数。）の処理の後にＡＣＴ（ｎ＋１）へと進む場合、このことを説明する記載を省略する場合がある。
【００５２】
画像形成装置１００の操作者は、操作パネル１０６を操作して、画像形成装置１００に実行させたい印刷内容を入力する。当該印刷内容は、印刷元情報、印刷サイズ情報、カラー情報、両面印刷情報、及び印刷部数情報などの、どのような印刷を行うかを画像形成装置１００に指定する指定情報を含む。印刷元情報は、画像形成装置１００が印刷する画像の取得先を特定する情報である。印刷サイズ情報は、どのサイズの画像形成媒体に印刷するかを示す情報である。カラー情報は、フルカラーで印刷するか、モノクロで印刷するかを示す情報である。両面印刷情報は、片面印刷するか両面印刷するかを示す情報である。印刷部数情報は、何部印刷するかを示す情報である。画像形成装置１００の操作者は、印刷内容を入力した後、開始ボタンなどの印刷を開始するように指示する操作を行う。
【００５３】
ＡＣＴ１１においてプロセッサー１０１は、印刷を開始するか否かを判定する。プロセッサー１０１は、例えば、画像形成装置１００の操作者によって印刷を開始するように指示する操作が行われたことに応じて、印刷を開始すると判定する。プロセッサー１０１は、印刷ジョブを開始すると判定しないならば、ＡＣＴ１１においてＮｏと判定してＡＣＴ１１を繰り返す。対して、プロセッサー１０１は、印刷ジョブを開始すると判定するならば、ＡＣＴ１１においてＹｅｓと判定してＡＣＴ１２へと進む。
【００５４】
ＡＣＴ１２においてプロセッサー１０１は、指定情報で示される印刷ジョブの実行を開始する。
【００５５】
ＡＣＴ１３においてプロセッサー１０１は、例えば、印刷元情報に基づき印刷対象の画像データを取得する。例えば、プロセッサー１０１は、スキャナー１０８を制御して、原稿から画像を読み取らせる。そして、プロセッサー１０１は、スキャナー１０８によって原稿から読み取られる画像データを取得する。あるいは、プロセッサー１０１は、補助記憶デバイス１０４又は補助記憶デバイス１０４に接続されたＵＳＢメモリなどに記憶されている画像データを取得する。あるいは、プロセッサー１０１は、インターネットを経由して画像データを取得する。当該画像は、通信インターフェース１０５によって受信される。
【００５６】
ＡＣＴ１４においてプロセッサー１０１は、印刷枚数及び印刷面数を決定する。例えば、プロセッサー１０１は、ＡＣＴ１３で取得した画像データを、指定情報に基づき、画像形成部１０７による印刷に適したデータに変換する。そして、プロセッサー１０１は、当該変換後のデータ（以下「変換後データ」という。）のページ数に基づき、印刷枚数及び印刷面数を求める。例えば、印刷面数は、当該ページ数と同じ数である。印刷枚数は、両面印刷か片面印刷かにより異なる。
【００５７】
ＡＣＴ１５においてプロセッサー１０１は、印刷料金を決定する。すなわち、プロセッサー１０１は、例えば、指定情報及びＡＣＴ１４で決定した印刷面数などに基づいて印刷料金を計算する。なお、印刷料金は、画像形成部１０７による画像形成の対価としての金額を示す。
【００５８】
ＡＣＴ１６においてプロセッサー１０１は、印刷用紙としてタグ内蔵媒体５００を用いるために、給紙トレイ１２１を制御して、給紙トレイ１２１からタグ内蔵媒体５００を搬出する。
【００５９】
ＡＣＴ１７においてプロセッサー１０１は、ＡＣＴ１６の処理によって搬出したタグ内蔵媒体５００に、変換後のデータの１ページ目の画像を印刷するように画像形成部１０７に指示する。この指示を受けて、画像形成部１０７は、当該タグ内蔵媒体５００に対して当該画像を形成する。なお、両面印刷情報が両面印刷することを示している場合には、プロセッサー１０１は、変換後のデータの１ページ目と２ページ目を当該タグ内蔵媒体５００の両面のそれぞれに印刷させる。印刷が終了した当該タグ内蔵媒体５００は、排紙トレイ１２２に排出される。
【００６０】
ＡＣＴ１８においてプロセッサー１０１は、排紙トレイ１２２に排出されたタグ内蔵媒体５００に埋め込まれた無線タグ４１１に、利用ＩＤと、現在実行中の印刷ジョブについての利用情報とを書き込む。利用ＩＤは、例えば、画像形成装置１００の利用１回ごとにユニークに付与される識別符号である。利用情報は、ＰＯＳ端末２００で画像形成装置１００の利用料金を決定するために必要な情報を含む。利用情報は、例えば、印刷内容情報及び利用料金情報を含む。印刷内容情報は、画像形成装置１００によって行われた印刷の内容を示す情報であり、画像形成装置１００の利用料金を特定することができる情報である。印刷内容情報は、例えば、紙のサイズ、印刷枚数、印刷面数、両面印刷であるか片面印刷であるか、及びフルカラー印刷であるかモノクロ印刷であるかなどの情報を含む。利用料金情報は、ＡＣＴ１５で決定された印刷料金を示す情報である。印刷料金情報も、画像形成装置１００の利用料金を特定することができる情報である。プロセッサー１０１は、ＡＣＴ１８の処理の後、図６のＡＣＴ１９へと進む。
【００６１】
ＡＣＴ１９においてプロセッサー１０１は、実行中の印刷ジョブについて、最後の印刷が終わったか否かを判定する。プロセッサー１０１は、実行中の印刷ジョブについて、最後の印刷が終わっていないならば、ＡＣＴ１９においてＮｏと判定してＡＣＴ２０へと進む。
【００６２】
ＡＣＴ２０においてプロセッサー１０１は、印刷用紙として媒体５０１を用いるために、給紙トレイ１２１を制御して、給紙トレイ１２１から媒体５０１を搬出する。
【００６３】
ＡＣＴ２１においてプロセッサー１０１は、ＡＣＴ２０の処理によって搬出した媒体５０１に、ここまで印刷された変換後データのページの次のページの画像を印刷するように画像形成部１０７に指示する。この指示を受けて、画像形成部１０７は、当該媒体５０１に対して当該画像を形成する。プロセッサー１０１は、ＡＣＴ２１の処理の後、ＡＣＴ１９へと戻る。
【００６４】
以上のようにして、プロセッサー１０１は、実行中の印刷ジョブについて、最後の印刷が終わるまでＡＣＴ１９〜ＡＣＴ２１の処理を繰り返す。
プロセッサー１０１は、実行中の印刷ジョブについて、最後の印刷が終わったならば、ＡＣＴ１９においてＹｅｓと判定してＡＣＴ２２へと進む。
【００６５】
ＡＣＴ２２においてプロセッサー１０１は、次の印刷ジョブを開始するか否かを判定する。プロセッサー１０１は、例えば、画像形成装置１００の操作者によって次の印刷ジョブを開始するように指示する操作が行われた場合に、次の印刷ジョブを開始すると判定する。なお、当該操作者は、最初の印刷ジョブの場合と同様に、操作パネル１０６を操作して、画像形成装置１００に実行させたい印刷内容を入力する。その後、当該操作者は、開始ボタンなどの印刷を開始するように指示する操作を行う。プロセッサー１０１は、次の印刷ジョブを開始すると判定しないならば、ＡＣＴ２２においてＮｏと判定してＡＣＴ２３へと進む。
【００６６】
ＡＣＴ２３においてプロセッサー１０１は、画像形成装置１００の利用を終了することを示す操作が行われたか否かを判定する。プロセッサー１０１は、画像形成装置１００の利用を終了することを示す操作が行われないならば、ＡＣＴ２３においてＮｏと判定してＡＣＴ２２へと戻る。かくして、プロセッサー１０１は、次の印刷ジョブを開始すると判定するか、画像形成装置１００の利用を終了することを示す操作が行われるまでＡＣＴ２２及びＡＣＴ２３を繰り返す。
【００６７】
プロセッサー１０１は、ＡＣＴ２２及びＡＣＴ２３の待受状態にあるときに次の印刷ジョブを開始と判定するならば、ＡＣＴ２２においてＹｅｓと判定してＡＣＴ２４へと進む。
プロセッサー１０１は、ＡＣＴ２４において、指定情報で示される次の印刷ジョブの実行を開始する。なお、プロセッサー１０１は、ＡＣＴ２５〜ＡＣＴ２７において、ＡＣＴ１３〜ＡＣＴ１５と同様の処理をする。
【００６８】
ＡＣＴ２８においてプロセッサー１０１は、排紙トレイ１２２にタグ内蔵媒体５００が置かれているか否かを判定する。すなわち、プロセッサー１０１は、リーダーライター１０９により、タグ内蔵媒体５００に埋め込まれた無線タグ４１１から情報が読み取れるか確認する。プロセッサー１０１は、無線タグ４１１から情報を読み取ることができれば、排紙トレイ１２２にタグ内蔵媒体５００が置かれていると判定する。なお、このような判定をするのは、画像形成装置１００の操作者などが、排紙トレイ１２２からタグ内蔵媒体５００を取り去っている可能性があるためである。プロセッサー１０１は、リーダーライター１０９によって無線タグ４１１から情報を読み取ることができず、排紙トレイ１２２にタグ内蔵媒体５００が置かれていないと判定するならば、ＡＣＴ２８においてＮｏと判定してＡＣＴ２９へと進む。
【００６９】
ＡＣＴ２９においてプロセッサー１０１は、タグ内蔵媒体５００を排紙トレイ１２２上に戻すように報知する。例えば、プロセッサー１０１は、タッチパネル１０６１に、タグ内蔵媒体５００を排紙トレイ１２２上に戻すように求める旨を示す画像などを表示させる。また、プロセッサー１０１は、スピーカーから、タグ内蔵媒体５００を排紙トレイ１２２上に戻すように求める旨を示す音声などを出力させる。プロセッサー１０１は、ＡＣＴ２９の処理の後、ＡＣＴ２８へと戻る。
【００７０】
プロセッサー１０１は、排紙トレイ１２２にタグ内蔵媒体５００が置かれていると判定するならば、ＡＣＴ２８においてＹｅｓと判定してＡＣＴ３０へと進む。
ＡＣＴ３０においてプロセッサー１０１は、ＡＣＴ２９で示す報知を実行しているならば、当該報知を終了する。
かくして、プロセッサー１０１は、排紙トレイ１２２にタグ内蔵媒体５００が置かれていないと判定した場合、排紙トレイ１２２にタグ内蔵媒体５００が戻されるまでＡＣＴ２９に示す報知を続ける。なお、画像形成装置１００の操作者は、タグ内蔵媒体５００を排紙トレイ１２２の一番下に戻す必要はなく、媒体５０１の上などに置いても良い。リーダーライター１０９は、タグ内蔵媒体５００が排紙トレイ１２２の一番下に置かれていなくても、無線タグ４１１との通信が可能であれば当該無線タグ４１１への読み書きが可能であるためである。
【００７１】
ＡＣＴ３１においてプロセッサー１０１は、排紙トレイ１２２に置かれているタグ内蔵媒体５００に埋め込まれた無線タグ４１１に、現在実行中の印刷ジョブについての利用情報を追記する。プロセッサー１０１は、ＡＣＴ３１の処理の後、ＡＣＴ２０へと戻る。
【００７２】
プロセッサー１０１は、ＡＣＴ２２及びＡＣＴ２３の待受状態にあるときに画像形成装置１００の利用を終了することを示す操作が行われたならば、ＡＣＴ２３においてＹｅｓと判定してＡＣＴ３２へと進む。
【００７３】
ＡＣＴ３２においてプロセッサー１０１は、排紙トレイ１２２に置かれているタグ内蔵媒体５００に埋め込まれた無線タグ４１１に、終了を示す情報を追記する。
【００７４】
ＡＣＴ３３においてプロセッサー１０１は、利用通知を生成する。利用通知は、画像形成装置１００が利用されたことをセキュリティ装置３００に通知する。利用通知は、図５のＡＣＴ１８において無線タグ４１１に書き込まれた利用ＩＤを含む。プロセッサー１０１は、利用通知を生成した後、当該利用通知をセキュリティ装置３００に送信するように通信インターフェース１０５に対して指示する。送信の指示を受けて通信インターフェース１０５は、当該利用通知をセキュリティ装置３００に送信する。送信された当該利用通知は、セキュリティ装置３００の通信インターフェース３０５によって受信される。プロセッサー１０１は、ＡＣＴ３３の処理の後、図５のＡＣＴ１１へと戻る。
【００７５】
一方、図８のＡＣＴ６１においてセキュリティ装置３００のプロセッサー３０１は、通信インターフェース３０５によって利用通知が受信されたか否かを判定する。プロセッサー３０１は、利用通知が受信されないならば、ＡＣＴ６１においてＮｏと判定してＡＣＴ６２へと進む。
【００７６】
ＡＣＴ６２においてプロセッサー３０１は、通信インターフェース３０５によって決済通知が受信されたか否かを判定する。プロセッサー３０１は、決済通知が受信されないならば、ＡＣＴ６２においてＮｏと判定してＡＣＴ６３へと進む。
【００７７】
ＡＣＴ６３においてプロセッサー３０１は、店内から外に出ようとしている人を検知したか否かを判定する。プロセッサー３０１は、例えば、センサー３０６によって、店内から外に出ようとしている人がいることを検知する。プロセッサー３０１は、店内から外に出ようとしている人がいないならば、ＡＣＴ６３においてＮｏと判定してＡＣＴ６１へと戻る。かくして、プロセッサー３０１は、利用通知又は決済通知が受信されるか、店内から外に出ようとしている人を検知するまでＡＣＴ６１〜ＡＣＴ６３を繰り返す。
【００７８】
プロセッサー３０１は、ＡＣＴ６１〜ＡＣＴ６３の待受状態にあるときに利用通知が受信されたならば、ＡＣＴ６１においてＹｅｓと判定してＡＣＴ６４へと進む。
ＡＣＴ６４においてプロセッサー３０１は、センサー３０６を用いて、画像形成装置１００を利用していた利用者の追跡を開始する。例えば、プロセッサー３０１は、当該利用者から、個人の判別が可能な特徴を読み取る。例えば、プロセッサー３０１は、当該利用者から顔認識に必要な情報を読みとる。そして、プロセッサー３０１は、受信された利用通知に含まれる利用ＩＤに、当該特徴と決済フラグを関連付けてセキュリティテーブルに記憶する。なお、ここでは、当該決済フラグは、有効を示す。決済フラグは、有効である場合、利用ＩＤで特定される利用料金の決済が終了していないことを示す。プロセッサー３０１は、ＡＣＴ６４の処理の後、ＡＣＴ６１へと戻る。
【００７９】
一方、画像形成装置１００を利用し終わった利用者は、画像形成装置１００の利用料金を支払うために、ＰＯＳ端末２００へ向かう。このとき、利用者は、画像形成装置１００の排紙トレイ１２２から取ったタグ内蔵媒体５００及び媒体５０１を買い物かごなどに入れてＰＯＳ端末へ持って行く。また、当該利用者は、購入したい商品４１０があるならば、当該商品４１０も同じ買い物かごに入れて持って行く。そして、当該利用者は、当該買い物かごを、ＰＯＳ端末３００が備えるリーダーライター２０７上の台の上に載せる。
【００８０】
当該台の上に買い物かごが載せられたならば、ＰＯＳ端末２００の操作者は、タッチパネル２０６に表示された開始ボタンを操作するなどの、商品の登録の開始を指示する操作を行う。ＰＯＳ端末２００の操作者は、一例として、画像形成装置１００の利用者と同一である。あるいは、ＰＯＳ端末２００の操作者は、店員などである。
【００８１】
図７のＡＣＴ４１においてＰＯＳ端末２００のプロセッサー２０１は、商品の登録の開始を指示する操作が行われるのを待ち受ける。プロセッサー２０１は、商品の登録の開始を指示する操作が行われたならば、ＡＣＴ４１においてＹｅｓと判定してＡＣＴ４２へと進む。
【００８２】
ＡＣＴ４２においてプロセッサー２０１は、リーダーライター２０７を制御して、買い物かごに入った無線タグ４１１から情報を読み出す。なお、買い物かごに複数の無線タグ４１１がある場合、プロセッサー１０１は、その全てから情報を読み出すようにリーダーライター２０７を制御する。
【００８３】
ＡＣＴ４３においてプロセッサー２０１は、ＡＣＴ４２で読み取られた商品ＩＤ全てを、補助記憶デバイス２０４に記憶された商品リストに追加する。なお、プロセッサー２０１は、無線タグ４１１から読み取った商品ＩＤに、同じ無線タグから読み取った商品名及び単価などを関連付けて商品リストに追加する。また、プロセッサー２０１は、ＡＣＴ４２で読み取られた利用ＩＤも当該商品リストに追加する。なお、プロセッサー２０１は、無線タグ４１１から読み取った利用ＩＤに、同じ無線タグ４１１から読み取った利用情報全てを関連付けて商品リストに追加する。
【００８４】
ＡＣＴ４４においてプロセッサー２０１は、ＡＣＴ４２で読み取った情報に画像形成装置１００の利用料金を示すものがあるか否かを判定する。プロセッサー２０１は、商品リストに利用ＩＤが含まれるならば、ＡＣＴ４４においてＹｅｓと判定してＡＣＴ４５へと進む。
【００８５】
ＡＣＴ４５においてプロセッサー２０１は、一覧画面ＳＣ１に対応した画像を生成する。そして、プロセッサー２０１は、生成したこの画像を表示するようにタッチパネル２０６に対して指示する。表示の指示を受けてタッチパネル２０６は、一覧画面ＳＣ１を表示する。
【００８６】
図９は、タッチパネル２０６に表示される一覧画面ＳＣ１の一例を示す図である。一覧画面ＳＣ１は、商品リストに追加されている商品の一覧を示す画面である。当該一覧は、画像形成装置１００の利用料金も含む。なお、図９では、画像形成装置１００の利用料金を「コピー機利用料金」と表示している。当該一覧は、例えば、商品名、単価、点数及び金額を示す。また、一覧画面ＳＣ１は、合計金額も含む。
【００８７】
さらに、一覧画面ＳＣ１は、一例として、詳細ボタンＢ１及び精算ボタンＢ２を含む。
詳細ボタンＢ１は、商品リストに含まれる画像形成装置１００の利用料金の詳細を表示するようにＰＯＳ端末２００に指示するためのボタンである。
精算ボタンＢ２は、商品リストに登録された商品の決済を行う場合に操作するためのボタンである。
【００８８】
なお、図９に示す一覧画面ＳＣ１は、商品リストに利用ＩＤが１つだけ含まれる場合の画面である。商品リストに利用ＩＤが複数含まれる場合、商品の一覧には、利用ＩＤごとに画像形成装置１００の利用料金が表示される。また、商品の一覧には、当該利用ＩＤごとに詳細ボタンＢ１が表示される。
【００８９】
ＡＣＴ４６においてプロセッサー２０１は、詳細ボタンＢ１が操作されたか否かを判定する。プロセッサー２０１は、詳細ボタンＢ１が操作されないならば、ＡＣＴ４６においてＮｏと判定してＡＣＴ４７へと進む。
【００９０】
ＡＣＴ４７においてプロセッサー２０１は、精算ボタンＢ２が操作されたか否かを判定する。プロセッサー２０１は、精算ボタンＢ２が操作されないならば、ＡＣＴ４７においてＮｏと判定してＡＣＴ４６へと戻る。かくして、プロセッサー２０１は、詳細ボタンＢ１又は精算ボタンＢ２が操作されるまでＡＣＴ４６及びＡＣＴ４７を繰り返す。
【００９１】
プロセッサー２０１は、ＡＣＴ４６及びＡＣＴ４７の待受状態にあるときに詳細ボタンＢ１が操作されたならば、ＡＣＴ４６においてＹｅｓと判定してＡＣＴ４８へと進む。
【００９２】
ＡＣＴ４８においてプロセッサー２０１は、詳細画面ＳＣ２に対応した画像を生成する。そして、プロセッサー２０１は、生成したこの画像を表示するようにタッチパネル２０６に対して指示する。表示の指示を受けてタッチパネル２０６は、詳細画面ＳＣ２を表示する。
【００９３】
図１０は、タッチパネル２０６に表示される詳細画面ＳＣ２の一例を示す図である。詳細画面ＳＣ２は、商品リストに含まれる画像形成装置１００の利用料金の詳細を示す画面である。詳細画面ＳＣ２は、一覧画面ＳＣ１において操作された詳細ボタンに対応する利用ＩＤで特定される利用料金の詳細を示す。詳細画面ＳＣ２は、商品リストにおいて当該利用ＩＤに関連付けられている利用情報に含まれる情報を表示する。また、詳細画面ＳＣ２は、戻るボタンＢ３を含む。
戻るボタンＢ３は、詳細画面ＳＣ２から一覧画面ＳＣ１に戻る場合に操作するためのボタンである。
【００９４】
ＡＣＴ４９においてプロセッサー２０１は、戻るボタンＢ３が操作されるのを待ち受ける。プロセッサー２０１は、戻るボタンＢ３が操作されたならば、ＡＣＴ４９においてＹｅｓと判定してＡＣＴ４５へと戻る。
【００９５】
プロセッサー２０１は、ＡＣＴ４６及びＡＣＴ４７の待受状態にあるときに精算ボタンＢ２が操作されたならば、ＡＣＴ４７においてＹｅｓと判定してＡＣＴ５０へと進む。
ＡＣＴ５０においてプロセッサー２０１は、商品リストに登録された商品の合計金額分の支払いが行われるのを待ち受ける。例えば、ＰＯＳ端末２００の操作者は、電子マネーカード又はクレジットカードなどをカードリーダー２０８に読み込ませる。プロセッサー２０１は、カードリーダー２０８が電子マネーカード又はクレジットカードなどを読み込んだことに応じて、ＡＣＴ５０においてＹｅｓと判定してＡＣＴ５１へと進む。あるいは、ＰＯＳ端末２００の操作者は、現金をＰＯＳ端末２００に投入する。プロセッサー２０１は、合計金額分以上の現金が投入されたことに応じて、ＡＣＴ５０おいてＹｅｓと判定してＡＣＴ５１へと進む。
【００９６】
ＡＣＴ５１においてプロセッサー２０１は、ＡＣＴ５０において読み込まれた電子マネーカード若しくはクレジットカードなど、又は投入された現金による決済処理を行う。決済処理については、周知の処理であるため詳細な説明は省略する。以上より、ＰＯＳ端末２００は、決済部として動作する。
【００９７】
ＡＣＴ５２においてプロセッサー２０１は、通信インターフェース２０５を制御して、決済処理の結果をＰＯＳシステム上のサーバーに送信する。当該サーバーは、例えば、商品及びサービスの売り上げなどについて管理するサーバーである。
【００９８】
ＡＣＴ５３においてプロセッサー２０１は、決済通知を生成する。決済通知は、決済が終了したことをセキュリティ装置３００に通知する。決済通知は、商品リストに含まれる利用ＩＤを含む。プロセッサー２０１は、決済通知を生成した後、当該決済通知をセキュリティ装置３００に送信するように通信インターフェース２０５に対して指示する。送信の指示を受けて通信インターフェース２０５は、当該決済通知をセキュリティ装置３００に送信する。送信された当該決済通知は、セキュリティ装置３００の通信インターフェース３０５によって受信される。
【００９９】
一方、セキュリティ装置３００のプロセッサー３０１は、図８のＡＣＴ６１〜ＡＣＴ６３の待受状態にあるときに決済通知が受信されたならば、ＡＣＴ６２においてＹｅｓと判定してＡＣＴ６５へと進む。
【０１００】
ＡＣＴ６５においてプロセッサー３０１は、ＡＣＴ６４で開始した利用者の追跡を終了する。例えば、プロセッサー３０１は、セキュリティテーブルを更新する。すなわち、プロセッサー３０１は、受信された決済通知に含まれる利用ＩＤが含まれるレコードについて、決済フラグを無効にする。決済フラグは、無効である場合、利用ＩＤで特定される利用料金の決済が終了していることを示す。プロセッサー３０１は、ＡＣＴ６５の処理の後、ＡＣＴ６１へと戻る。
【０１０１】
プロセッサー３０１は、ＡＣＴ６１〜ＡＣＴ６３の待受状態にあるときに店内から外に出ようとしている人がいるならば、ＡＣＴ６３においてＹｅｓと判定してＡＣＴ６６へと進む。
ＡＣＴ６６においてプロセッサー３０１は、店内から外に出ようとしている人が、画像形成装置１００の利用料金を支払っていないか否かを判定する。プロセッサー３０１は、当該人から、センサー３０６を用いて、個人の判別が可能な特徴を読み取る。そして、プロセッサー３０１は、セキュリティテーブルを参照して、当該特徴と一致する特徴を含むレコードを探索する。プロセッサー３０１は、当該特徴と一致する特徴を含むレコードを見つけられなかったならば、当該人は画像形成装置１００を利用していないと判定する。対して、プロセッサー３０１は、当該特徴と一致する特徴を含むレコードを見つけたならば、当該レコードに含まれる決済フラグが有効であるか無効であるかを判定する。プロセッサー３０１は、当該決済フラグが有効であるならば、当該人が画像形成装置１００の利用料金を支払っていないと判定する。プロセッサー３０１は、当該決済フラグが無効であるならば、当該人が画像形成装置１００の利用料金を支払っていると判定する。プロセッサー３０１は、当該人は画像形成装置１００の利用料金を支払い済みであると判定するか、当該人は画像形成装置１００を利用していないと判定するならば、ＡＣＴ６６においてＮｏと判定してＡＣＴ６１へと戻る。対して、プロセッサー３０１は、当該人が、画像形成装置１００の利用料金を支払っていないと判定するならば、ＡＣＴ６６においてＮｏと判定してＡＣＴ６７へと進む。
【０１０２】
ＡＣＴ６７においてプロセッサー３０１は、警告装置３０７などを動作させて、画像形成装置１００の利用料金を支払っていないことを、店から出ようとしている人及び店員などに報知する。例えば、プロセッサー３０１は、警告装置３０７などを動作させることで、画像形成装置１００の利用料金を支払っていない人に対して、警告を行う目的で報知を行う。また例えば、プロセッサー３０１は、警告装置３０７を動作させることで、店員などに、画像形成装置１００の利用料金を支払っていない人が店から出ようとしていることを報知する。プロセッサー３０１は、ＡＣＴ６７の処理の後、ＡＣＴ６１へと戻る。
【０１０３】
一方、図７のＡＣＴ５４においてプロセッサー２０１は、商品リストをリセットする。すなわち、プロセッサー２０１は、商品リストを、商品ＩＤ及び利用ＩＤが含まれていない状態にする。プロセッサー２０１は、ＡＣＴ５４の処理の後、ＡＣＴ４１へと戻る。
【０１０４】
また、プロセッサー２０１は、商品リストに利用ＩＤが含まれないならば、ＡＣＴ４４においてＮｏと判定してＡＣＴ５５へと進む。
ＡＣＴ５５においてプロセッサー２０１は、タッチパネル２０６を制御して、一覧画面を表示させる。なお、ここで表示される一覧画面は、ＡＣＴ４５で表示される一覧画面ＳＣ１とは異なり、詳細ボタンＢ１を含まない。また、商品リストに利用ＩＤが含まれないため、ここで表示される一覧画面は、画像形成装置１００の利用料金を含まない。
【０１０５】
ＡＣＴ５６においてプロセッサー２０１は、ＡＣＴ５５で表示された一覧画面に含まれる精算ボタンＢ２が操作されるのを待ち受ける。プロセッサー２０１は、精算ボタンＢ２が操作されたならば、ＡＣＴ５６においてＹｅｓと判定してＡＣＴ５０へと進む。
【０１０６】
実施形態の店内システム１によれば、画像形成装置１００は、無線タグ４１１が内蔵されたタグ内蔵媒体５００に、画像形成装置１００の利用料金を決定するために必要な情報である利用情報を書き込む。これにより、ＰＯＳ端末２００は、無線タグ４１１から利用情報を読み込むことで、画像形成装置１００の利用料金について決済することができる。また、画像形成装置１００は、商品４１０についても、商品４１０に付された無線タグ４１１から商品情報を取得することで、当該商品４１０の販売に係る金額の決済が可能である。すなわち、ＰＯＳ端末２００は、商品４１０の販売に係る金額と画像形成装置１００の利用料金とをまとめて決済が可能である。
実施形態の店内システム１によれば、ＰＯＳ端末２００が電子マネー及びクレジットカードを使用可能であれば、画像形成装置１００の利用料金について、電子マネー又はクレジットカードを用いた決済が可能である。
【０１０７】
また、実施形態の店内システム１によれば、画像形成装置１００は、タグ内蔵媒体５００と媒体５０１を収容する。そして、画像形成装置１００は、１回の利用につき１枚のみタグ内蔵媒体５００を用いる。すなわち、画像形成装置１００は、１回の利用でＮ枚の画像形成媒体に対して印刷を行う場合、１枚のタグ内蔵媒体５００と（Ｎ−１）枚の媒体５０１に対して印刷を行う。このように、画像形成装置１００は、１回の利用につき１枚だけタグ内蔵媒体５００を用いることで、媒体５０１よりも単価の高いタグ内蔵媒体５００の使用量を抑えることができる。
【０１０８】
また、実施形態の店内システム１によれば、セキュリティ装置３００は、画像形成装置１００の利用料金を支払っていない人が店から出ようとした場合に報知する。これにより、実施形態の店内システム１は、画像形成装置１００の利用料金が支払われないことを防ぐことができる。
【０１０９】
上記の実施形態は以下のような変形も可能である。
上記の実施形態では、画像形成装置１００の利用料金を画像形成装置１００が計算した。しかしながら、ＰＯＳ端末２００が当該利用料金を計算しても良い。ＰＯＳ端末２００のプロセッサー２０１は、無線タグ４１１から読み取られた利用情報から当該利用料金を計算する。このために、ＰＯＳ端末２００は、例えば、紙の大きさ、及びモノクロ印刷又はフルカラー印刷のいずれであるかなどに応じた１面あたりの印刷料金などの、利用情報から利用料金を計算するために必要な情報を記憶しておく。また、ＰＯＳ端末２００が当該利用料金を計算する場合、無線タグ４１１に書き込まれる利用情報には、料金情報が含まれていなくても良い。
【０１１０】
上記の実施形態では、画像形成装置１００は、１枚目の印刷にのみタグ内蔵媒体５００を用いた。しかしながら、画像形成装置１００は、１枚目以外の印刷にもタグ内蔵媒体５００を用いても良い。この場合、画像形成装置１００は、任意の枚数目のタグ内蔵媒体５００に利用ＩＤ及び利用情報を書き込んでも良い。
【０１１１】
画像形成装置１００は、１枚目の印刷の前に、タグ内蔵媒体５００を排紙トレイ１２２に排出しても良い。そして、画像形成装置１００は、当該タグ内蔵媒体５００に利用ＩＤ及び利用情報を書き込んでも良い。
【０１１２】
画像形成装置１００は、利用ＩＤ及び利用情報を、１ジョブごとに無線タグ４１１に書き込んだ。しかしながら、画像形成装置１００は、最後にまとめて利用ＩＤ及び利用情報を無線タグ４１１に書き込んでも良い。例えば、画像形成装置１００は、画像形成装置１００の利用を終了することを示す操作が行われたことに応じて当該書き込みを行う。
また、最後にまとめて書き込みを行う場合において、画像形成装置１００は、全てのジョブの印刷が終わった後に、追加でタグ内蔵媒体５００を排紙トレイ１２２に排出して、当該タグ内蔵媒体に埋め込まれた無線タグ４１１に利用ＩＤ及び利用情報を書き込んでも良い。また、画像形成装置１００は、このように追加でタグ内蔵媒体５００を排出する場合、当該タグ内蔵媒体５００に、印刷内容情報及び料金情報に含まれる内容を印刷しても良い。
【０１１３】
画像形成装置１００は、内蔵の画像形成部１０７を用いてタグ内蔵媒体５００に対して印刷を行った。そして、内蔵のリーダーライター１０９を用いて当該タグ内蔵媒体５００に埋め込まれた無線タグ４１１に情報を書き込んだ。しかしながら、画像形成装置１００は、外付けの印刷装置及びリーダーライターを備えていても良い。この場合、画像形成装置１００は、例えば、画像形成装置１００の利用を終了することを示す操作が行われたことに応じて、当該外付けの印刷装置及びリーダーライターを用いて、タグ内蔵媒体５００に、利用ＩＤ及び利用情報を書き込む。また、画像形成装置１００は、当該タグ内蔵媒体５００に、印刷内容情報及び料金情報に含まれる内容を印刷しても良い。外付けの印刷装置及びリーダーライターを用いる場合、給紙トレイ１２１は、タグ内蔵媒体５００を収容するには及ばない。代わりに、当該外付けの印刷装置が備える給紙トレイが、タグ内蔵媒体５００を収容する。
【０１１４】
無線タグ４１１は、予め画像形成媒体に埋め込まれたものではなくても良い。例えば、画像形成装置１００は、無線タグ４１１を媒体５０１に貼り付ける装置を備え、当該装置により、無線タグ４１１を媒体５０１に貼り付ける。
【０１１５】
上記の実施形態では、画像形成装置１００は、１枚目の印刷にのみタグ内蔵媒体５００を用い、残りの印刷には媒体５０１を用いた。しかしながら、画像形成装置１００は、全ての印刷にタグ内蔵媒体５００を用いても良い。また、この場合において、画像形成装置１００は、タグ内蔵媒体５００の１枚ごとの無線タグ４１１に、１枚分の印刷内容情報及び利用料金情報を書き込んでも良い。この場合、ＰＯＳ端末２００は、例えば、リーダーライター２０７によって各タグ内蔵媒体５００に埋め込まれた無線タグ４１１のそれぞれから、１枚分の印刷内容情報及び利用料金情報を読み取って、それぞれの金額を足し合わせることで、画像形成装置１００の利用料金を求める。
【０１１６】
実施形態の画像形成装置は、排紙トレイ１２２以外の位置にリーダーライター１０９を備えていても良い。例えば、リーダーライター１０９は、給紙トレイ１２１から排紙トレイ１２２までタグ内蔵媒体５００が搬送される搬送路で、当該タグ内蔵媒体５００に埋め込まれた無線タグ４１１に書き込みを行う位置に設置される。
【０１１７】
画像形成装置１００は、画像形成装置１００が行う印刷以外のサービスについても、タグ内蔵媒体５００に埋め込まれた無線タグ４１１に当該サービスについての料金を特定可能な情報を書き込んでも良い。この場合、画像形成装置１００は、例えば、画像形成装置１００の利用を終了することを示す操作が行われたことに応じて、タグ内蔵媒体５００を排紙トレイ１２２に排出する。そして、画像形成装置１００は、当該タグ内蔵媒体５００に埋め込まれた無線タグ４１１に、当該サービスについての料金を特定可能な情報を書き込む。印刷以外のサービスとしては、例えば、スキャン及びファックスなどが挙げられる。
【０１１８】
上記の実施形態では、セキュリティ装置３００は、画像形成装置１００の利用料金を支払わずに店内から出ようとする人がいる場合に報知を行う。しかしながら、セキュリティ装備３００は、画像形成装置１００の利用料金を支払わずに店内から出た人がいる場合に報知を行っても良い。
【０１１９】
プロセッサー１０１、プロセッサー２０１又はプロセッサー３０１は、上記実施形態においてプログラムによって実現する処理の一部又は全部を、回路のハードウェア構成によって実現するものであっても良い。
【０１２０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２１】
１……店内システム、１００……画像形成装置、１０１，２０１，３０１……プロセッサー、１０２，２０２，３０２……ＲＯＭ、１０３，２０３，３０３……ＲＡＭ、１０４，２０４，３０４……補助記憶デバイス、１０５，２０５，３０５……通信インターフェース、１０６……操作パネル、１０７……画像形成部、１０８……スキャナー、１０９，２０７……リーダーライター、１１０，２０９，３０８……バス、１２１……給紙トレイ、１２２……排紙トレイ、２００……ＰＯＳ端末、２０６，１０６１……タッチパネル、２０８……カードリーダー、３００……セキュリティ装置、３０６……センサー、３０７……警告装置、４１０……商品、４１１……無線タグ、５００……タグ内蔵媒体、５０１……媒体、１０９１，２０７１……アンテナ
【図１】
2020154238.tif 000003
【図２】
2020154238.tif 000004
【図３】
2020154238.tif 000005
【図４】
2020154238.tif 000006
【図５】
2020154238.tif 000007
【図６】
2020154238.tif 000008
【図７】
2020154238.tif 000009
【図８】
2020154238.tif 000010
【図９】
2020154238.tif 000011
【図１０】
2020154238.tif 000012